(57)【要約】【課題】端末本体からキーボードを取り外して利用でき、かつセキュリティ性にも優れた携帯型情報処理端末を提供する。【解決手段】携帯型情報処理端末１は、データ入力可能なキーパッド１２を備えてなるキーボード１０が端末本体２０に着脱可能とされてなるものである。端末本体２０は、キーボード１０に電力を供給する電源回路２１を備えており、他方のキーボード１０は、当該キーボード１０が端末本体２０に装着されたときに電源回路２１からの電力供給を受けて蓄電する蓄電手段３３と、キーパッド１２から入力されたデータを記憶するＲＡＭ１３とを備えている。ＲＡＭ１３は、端末本体２０へのデータの出力が可能とされ、かつ蓄電手段３３からの電力により記憶が維持される構成となっている。この構成においてキーボード１０が端末本体２０から取り外されると、蓄電手段３３の蓄電量が減少することでＲＡＭ１３内のデータが揮発して消去されることとなる。【選択図】図１
2008242825.tif 000002
【特許請求の範囲】
【請求項１】
データ入力可能な操作手段を備えてなるキーボードが端末本体に着脱可能とされた携帯型情報処理端末であって、
前記端末本体は、
前記キーボードに電力を供給する電力供給手段を備え、
前記キーボードは、
当該キーボードが前記端末本体に装着されたときに前記電力供給手段からの電力供給を受けて蓄電する蓄電手段と、
前記操作手段から入力されたデータを記憶すると共に、前記端末本体への前記データの出力が可能とされ、かつ前記蓄電手段からの電力により記憶が維持される揮発性の記憶手段と、
を備え、
前記キーボードが前記端末本体から取り外された場合に前記蓄電手段の蓄電量が減少することで前記記憶手段内の前記データが揮発して消去されることを特徴とする携帯型情報処理端末。
【請求項２】
前記キーボードと前記端末本体との接続を検出する接続検出手段と、
前記接続検出手段により前記キーボードと前記端末本体との接続が検出された場合に前記記憶手段に記憶される前記データを前記端末本体に出力する出力手段と、
前記記憶手段から前記端末本体への前記データの出力が完了した場合に、前記記憶手段に記憶される前記データを消去する消去手段と、
を備えたことを特徴とする請求項１に記載の携帯型情報処理端末。
【請求項３】
前記消去手段は、前記記憶手段から前記端末本体への前記データの出力が完了した場合に前記蓄電手段を放電させる放電手段からなることを特徴とする請求項２に記載の携帯型情報処理端末。
【請求項４】
前記放電手段による前記蓄電手段の放電が、前記記憶手段の前記データが揮発して消去される時間以上経過した後に、前記蓄電手段への電力供給を開始する充電手段を備えたことを特徴とする請求項３に記載の携帯型情報処理端末。
【請求項５】
前記キーボードは、前記操作手段によって入力された前記データを暗号化する暗号化手段を備え、前記暗号化手段によって暗号化された前記データが前記記憶手段に記憶されることを特徴とする請求項１から請求項４のいずれか一項に記載の携帯型情報処理端末。
【請求項６】
前記キーボードは、表示手段が設けられていることを特徴とする請求項１から請求項５のいずれか一項に記載の携帯型情報処理端末。
【請求項７】
前記蓄電手段の放電回数を記憶する不揮発性記憶手段と、
前記蓄電手段の前記放電回数が所定回数に達した場合に報知を行う報知手段と、
を備えたことを特徴とする請求項１から請求項６のいずれか一項に記載の携帯型情報処理端末。
【請求項８】
前記蓄電手段の蓄電状態を監視する監視手段と、前記蓄電状態を通知する通知手段とを備えたことを特徴とする請求項１から請求項７のいずれか一項に記載の携帯型情報処理端末。
【請求項９】
前記蓄電手段の前記蓄電状態について、前記キーボードを取り外して使用するための取り外し使用可能状態が定められており、
前記監視手段は、前記蓄電手段の前記蓄電状態が前記取り外し使用可能状態に至ったかを検出し、
前記通知手段は、前記キーボードが取り外して使用可能な状態となった旨を通知することを特徴とする請求項８に記載の携帯型情報処理端末。
【請求項１０】
前記キーボードは、前記操作手段によって入力された際にその入力の受付を報知する発音手段を備えることを特徴とする請求項１から請求項９のいずれか一項に記載の携帯型情報処理端末。
【発明の詳細な説明】
【技術分野】
【０００１】
本発明は、携帯型情報処理端末に関するものである。
【背景技術】
【０００２】
従来より、データ入力可能な操作手段を備えた携帯型情報処理端末が提供されている。例えば、特許文献１では、外食産業などで注文処理等を行う携帯情報端末が開示されており、キーボードを端末本体に着脱できるように構成し、用途に応じてキーボードを取り替え可能とした技術が提供されている。
【特許文献１】特開２００５−３０１６７４公報
【発明の開示】
【発明が解決しようとする課題】
【０００３】
ところで、キーボードが端末本体に着脱可能とされた携帯型情報処理端末の場合、取り外されたキーボード単体で独立して使用できるようにすると、利用者にとって有用となる。しかしながら、このようにキーボードを取り外して単独使用し得る構成の場合、当該単独使用時にキーボードにて入力されたデータのセキュリティを考慮する必要がある。例えば、クレジットカードや電子マネーシステムなどの決済処理等に用いられる携帯型情報処理端末の場合、キーボードにて入力された暗証番号等の個人情報を端末本体に所定の方法で伝達するように構成し、当該個人情報に基づいて端末本体で情報処理する構成とすることができるが、このような構成の場合、個人情報データがキーボードに残存し続ける懸念があり、セキュリティ面で更なる向上の余地がある。
【０００４】
本発明は、上述した課題を解決するためになされたものであり、端末本体からキーボードを取り外して利用でき、かつセキュリティ性にも優れた携帯型情報処理端末を提供することを目的とする。
【課題を解決するための手段】
【０００５】
上記目的を達成するため、請求項１の発明は、データ入力可能な操作手段を備えてなるキーボードが端末本体に着脱可能とされた携帯型情報処理端末であって、前記端末本体が、前記キーボードに電力を供給する電力供給手段を備え、前記キーボードは、当該キーボードが前記端末本体に装着されたときに前記電力供給手段からの電力供給を受けて蓄電する蓄電手段と、前記操作手段から入力されたデータを記憶すると共に、前記端末本体への前記データの出力が可能とされ、かつ前記蓄電手段からの電力により記憶が維持される揮発性の記憶手段と、を備え、前記キーボードが前記端末本体から取り外された場合に前記蓄電手段の蓄電量が減少することで前記記憶手段内の前記データが揮発して消去されることを特徴とするものである。
【０００６】
請求項２の発明は、請求項１に記載の携帯型情報処理端末において、前記キーボードと前記端末本体との接続を検出する接続検出手段と、前記接続検出手段により前記キーボードと前記端末本体との接続が検出された場合に前記記憶手段に記憶される前記データを前記端末本体に出力する出力手段と、前記記憶手段から前記端末本体への前記データの出力が完了した場合に、前記記憶手段に記憶される前記データを消去する消去手段と、を備えたことを特徴とするものである。
【０００７】
請求項３の発明は、請求項２に記載の携帯型情報処理端末において、前記消去手段が、前記記憶手段から前記端末本体への前記データの出力が完了した場合に前記蓄電手段を放電させる放電手段からなることを特徴とするものである。
【０００８】
請求項４の発明は、請求項３に記載の携帯型情報処理端末において、前記放電手段による前記蓄電手段の放電が、前記記憶手段の前記データが揮発して消去される時間以上経過した後に、前記蓄電手段への電力供給を開始する充電手段を備えたことを特徴とするものである。
【０００９】
請求項５の発明は、請求項１から請求項４のいずれか一項に記載の携帯型情報処理端末において、前記キーボードが、前記操作手段によって入力された前記データを暗号化する暗号化手段を備え、前記暗号化手段によって暗号化された前記データが前記記憶手段に記憶されることを特徴とするものである。
【００１０】
請求項６の発明は、請求項１から請求項５のいずれか一項に記載の携帯型情報処理端末において、前記キーボードに、表示手段が設けられていることを特徴とするものである。
【００１１】
請求項７の発明は、請求項１から請求項６のいずれか一項に記載の携帯型情報処理端末において、前記蓄電手段の放電回数を記憶する不揮発性記憶手段と、前記蓄電手段の前記放電回数が所定回数に達した場合に報知を行う報知手段と、を備えたことを特徴とするものである。
【００１２】
請求項８の発明は、請求項１から請求項７のいずれか一項に記載の携帯型情報処理端末において、前記蓄電手段の蓄電状態を監視する監視手段と、前記蓄電状態を通知する通知手段とを備えたことを特徴とするものである。
【００１３】
請求項９の発明は、請求項８に記載の携帯型情報処理端末において、前記蓄電手段の前記蓄電状態について、前記キーボードを取り外して使用するための取り外し使用可能状態が定められており、前記監視手段は、前記蓄電手段の前記蓄電状態が前記取り外し使用可能状態に至ったかを検出し、前記通知手段は、前記キーボードが取り外して使用可能な状態となった旨を通知することを特徴とするものである。
【００１４】
請求項１０の発明は、請求項１から請求項９のいずれか一項に記載の携帯型情報処理端末において、前記キーボードが、前記操作手段によって入力された際にその入力の受付を報知する発音手段を備えることを特徴とする。
【００１５】
請求項１の発明では、端末本体の電力供給手段からの電力供給を受けて蓄電する蓄電手段と、蓄電手段からの電力により記憶が維持される揮発性の記憶手段とが設けられており、端末本体からキーボードを取り外して利用できるようになっているため、ユーザにとって利便性が高い構成となる。また、キーボードが端末本体から取り外された場合に蓄電手段の蓄電量が減少することで記憶手段内のデータが揮発して確実に消去される構成となっている。従って、キーボードが取り外され続けたとしても、所定時間後に確実にデータを消去でき、外部からの記憶手段のデータ取得防止に貢献し、セキュリティ性に優れた携帯型情報処理端末となる。
【００１６】
請求項２の発明では、記憶手段から端末本体へのデータ出力が完了した場合に、記憶手段に記憶されるデータを積極的に消去できることとなる。従って、データ出力完了後にデータがキーボードに残存しなくなり、セキュリティ性が一層強化される。
【００１７】
請求項３の発明では、蓄電手段を放電させる放電手段によって消去手段が構成されており、複雑な構成を用いることなく確実にデータを消去できることとなる。
【００１８】
請求項４の発明では、放電手段による蓄電手段の放電が、記憶手段のデータが揮発して消去される時間以上経過した後に、蓄電手段への電力供給を開始する充電手段が設けられているため、確実性高くデータを消去しつつ、次回のキーボード使用の準備を効率的に行うことができる。
【００１９】
請求項５の発明では、暗号化手段によって暗号化されたデータが記憶手段に記憶されるため、記憶手段内のデータが揮発して消去される前であってもセキュリティ性が効果的に担保される。
【００２０】
請求項６の発明では、キーボードに表示手段が設けられているため、ユーザに対する情報伝達を好適に行うことができる。
【００２１】
請求項７の発明では、蓄電手段の放電回数を記憶する不揮発性記憶手段と、蓄電手段の放電回数が所定回数に達した場合に報知を行う報知手段とが設けられているため、蓄電回数が一定の基準に達したことをユーザに知らせることができる。従って、ユーザは放電回数の状態を把握して適切な対応をとることができる。
【００２２】
請求項８の発明では、蓄電手段の蓄電状態を監視する監視手段と、その蓄電状態を通知する通知手段とが設けられているため、ユーザが蓄電状態を把握しながらキーボードを使用できることとなる。
【００２３】
請求項９の発明では、蓄電手段の蓄電状態について、キーボードを取り外して使用するための取り外し使用可能状態が定められており、キーボードが取り外して使用可能な状態となった旨を通知するようにしている。従って、取り外し使用不能な状態でユーザが使用してしまうといった問題を解決し、ユーザにとって極めて使い勝手の良い構成となる。
【００２４】
請求項１０の発明では、操作手段によって入力された際にその入力の受付を報知する発音手段が設けられているため、入力受け付けがなされたか否かをユーザが的確に把握できるようになる。
【発明を実施するための最良の形態】
【００２５】
[第１実施形態]
以下、本発明の携帯型情報処理端末を具現化した第１実施形態について、図面を参照して説明する。図１は、第１実施形態に係る携帯型情報処理端末１を概略的に例示するブロック図である。また、図２は、キーボード１０の具体的ブロック図である。
【００２６】
図１に示す第１実施形態の携帯型情報処理端末１は、キーボード１０が端末本体２０に着脱可能とされたものであり、磁気カード、非接触ＩＣカード、接触ＩＣカード等の各種カードを読み取る公知のカードリーダ（図示略）を備え、例えば決済処理を行うために使用されるものである
【００２７】
キーボード１０は、データ入力可能なキーパッド１２を備えてなるものであり、端末本体２０に対し着脱可能とされ、端末本体２０から取り外して単独使用できるように構成されている。このように、キーボード１０が単独使用可能とされることで、重要なデータを保持している端末本体２０を入力者に渡さなくてもデータ入力できることとなる。
【００２８】
キーパッド１２は、操作手段の一例に相当するものであり、本実施形態では、テンキー等を含んだ複数キーによって構成されている。キーボード１０では、このキーパッド１２によってＰＩＮ(Personal Identification Number)等の個人情報を入力できる構成となっている。
【００２９】
電源部１１は、図２に示すように、放電回路３１、充電回路３２、蓄電手段３３，切替回路３４、を備えている。なお、図中太字ラインは電力供給ラインを示すものである。
蓄電手段３３は、キーボード１０が端末本体２０に装着されたときに端末本体２０からの電力供給（具体的には電源回路２１からの電力供給）を受けて蓄電されるものであり、例えば、キャパシタなどによって構成されている。この蓄電手段３３は、キーボード１０が端末本体２０から外れたときに、当該キーボード１０の駆動電源となるように構成されている。
【００３０】
放電回路３１は、蓄電手段３３を放電させる回路であり、後述する制御部１４からの放電制御信号によって駆動する構成をなしている。この放電回路３１は、図３に示すように、蓄電手段３３を電源として電流を流す定電流回路からなり、一端側が蓄電手段３３側に接続され、他端側が接地側に接続され、放電制御信号によってオンオフする構成となっている。蓄電手段３３とアースの間の通電ラインには、放電制御信号に応じてオンオフするスイッチが介在しており、放電制御信号がオンを指示するものであれば、蓄電手段３３から電流が流れ、放電制御信号がオフを指示するものであれば、通電が遮断されるようになっている。
【００３１】
充電回路３２はキーボード１０が端末本体２０に接続されたときに、端末本体２０からの電力供給に基づいて蓄電手段３３を充電する構成をなしている。この充電回路３２は、端末本体２０の電源回路２１を電源として電流を流す定電流回路を有してなり、一端側が端子Ｔ１に接続され、他端側が蓄電手段３３に接続される構成となっている。なお、端子Ｔ１と蓄電手段３３の間の通電ラインには充電制御信号に応じてオンオフするスイッチが介在しており、充電制御信号がオンを指示する場合に通電され、充電制御信号がオフを指示する場合に通電が遮断される構成となっている。
【００３２】
切替回路３４は、端末本体２０からの電力を駆動電力とするか、蓄電手段３３の電力を駆動電力とするかを切り替るものである。具体的には、制御部１４からの制御信号に応じ、電力供給ライン３６に接続する電源を、蓄電手段３３とするか、端子Ｔ１に接続される電源回路２１とするかを切り替える構成となっている。なお、切替回路３４からキーボード１０における各部への電力分配経路は省略して示している。
【００３３】
ＲＡＭ１３は、揮発性の記憶手段の一例に相当するものであり、キーボード１０を取り外して使用する際には、蓄電手段３３から電力供給を受け、他の電力供給を受けずに作動する構成となっている。このＲＡＭ１３は、キーパッド１２から入力されたデータを記憶すると共に、制御部１４によって端末本体２０へのデータの出力が可能とされており、取り外し使用時には蓄電手段３３からの電力のみにより記憶が維持される構成となっている。
【００３４】
制御部１４は、制御手段の一例に相当するものであり、例えばＣＰＵなどによって構成されている。この制御部１４は、キーパッド１２、検出部１７（後述）からの入力を受け付ける構成をなすと共に、電源部１１における放電回路３１、充電回路３２の制御、ＲＡＭ１３への書き込み及びＲＡＭ１３の読み取り、表示部１５の制御、ブザー１８の制御等を行うものである。また、インターフェース１６を介して端末本体２０への情報出力、あるいは端末本体２０からの情報入力を行う構成となっている。
【００３５】
検出部１７は、接続検出手段の一例に相当するものであり、端末本体２０とキーボード１０の接続状態を検出する構成をなしている。図４はその一例を示しており、キーボード１０が端末本体２０と接続された場合にＨレベル信号を出力し、接続されていない場合にＬレベル信号を出力する電気的検出手段によって検出部１７が構成されている。具体的には図４（ａ）のように、キーボード１０に凸状端子４１が設けられ、端末本体２０に凹状端子４２が設けられており、キーボード１０を端末本体２０に装着する装着時に凸状端子４１と凹状端子４２とが嵌合するようになっている。凸状端子４１と凹状端子４２とが嵌合すると、図４（ｂ）の回路例に示すように、端末本体２０側の電源からキーボード１０側のアースに電流が流れ、検出ライン４３がＨレベルとなる。一方、非嵌合時には通電されないため検出ライン４３はＬレベルとなる。検出ライン４３は制御部１４に接続されており、制御部１４は検出ライン４３のレベルに基づいて当該キーボード１０が端末本体２０に装着されているか否かを判断する。
【００３６】
表示部１５は、表示手段の一例に相当するものであり、例えば液晶表示器などによって構成されており、制御部１４からの表示制御信号に応じて表示がなされるようになっている。
【００３７】
また、ブザー１８は、発音手段の一例に相当するものであり、制御部１４からの発音制御信号に応じて音を発したり、発音を停止するようになっている。
【００３８】
端子Ｔ１は、キーボード１０が端末本体２０に装着されるときに、端末本体２０に設けられた端子Ｔ３と電気的に接続されるものであり、電源回路２１からの電力が端子Ｔ３，Ｔ１を介して電源部１１に供給される構成となっている。また、端子Ｔ２は端末本体２０の端子Ｔ４と接続されるものであり、キーボード１０の各種情報（例えばＲＡＭ１３に記憶されたデータ）が端子Ｔ２，Ｔ４を介して端末本体２０側に出力され、端末本体２０からの各種情報が端子Ｔ２，Ｔ４を介してキーボード１０に入力されるようになっている。  
【００３９】
一方、端末本体２０には、電源回路２１、処理回路２２などが設けられている。
電源回路２１は、キーボード１０に電力を供給するものであり、図示しないバッテリや商用電源等に接続される公知の電源回路等によって構成されている。また、処理回路２２は、例えばＣＰＵ等によって構成されるものであり、インターフェース２３を介してキーボード１０との情報の入出力を行い、かつ各種情報処理を行うものである。
【００４０】
このように構成される携帯型情報処理端末１では、キーボード１０が端末本体２０から取り外された場合に、蓄電手段３３を電源としてキーボード１０が駆動されることとなる。一方、キーボード１０が取り外され続けると、蓄電手段３３の蓄電量が減少することでＲＡＭ１３の揮発作用により、当該ＲＡＭ１３内のデータが消去されることとなる。
【００４１】
次に、キーボード１０における情報出力処理及び端末本体２０における情報入力処理について説明する。図５は、キーボード１０における情報出力処理を例示するフローチャートであり、図６は、端末本体２０における情報入力処理を例示するフローチャートである。以下、これらフローチャートに従って具体的に説明する。なお、図５のフローチャートの処理は、キーボード１０のＲＯＭ等の記憶部（図示略）に記憶され、制御部１４によって実行される。また、図６のフローチャートの処理は、端末本体２０のＲＯＭ等の記憶部（図示略）に記憶され、処理回路２２によって実行される。
【００４２】
図５のＳ１０に示すように、キーボード１０における情報出力に際しては、まず当該キーボード１０に端末本体２０が接続されているか否かを検出する。接続が検出されるまではＳ１０でＮｏ（以下ＮｏをＮとも称する）に進むこととなり待機状態となる。端末本体２０の接続が検出されるとＳ１０にてＹｅｓ（以下、ＹｅｓをＹともいう）に進む。なお、接続の検出は、上述の検出部１７及び制御部１４によって行い、検出部１７からＨレベル信号が出力された場合に、Ｓ１０にてＹに進むこととなる。
【００４３】
その後、Ｓ２０にてＲＡＭ１３に入力データが記憶されているか否かを判断する。キーパッド１２からＰＩＮ情報等の個人情報が入力され、この個人情報がＲＡＭ１３に記憶されている場合、Ｓ２０にてＹに進み、その入力データ（個人情報）を端末本体２０側に転送する（Ｓ３０）。なお、制御部１４は、「出力手段」の一例に相当するものであり、検出部１７によりキーボード１０と端末本体２０との接続が検出された場合にＲＡＭ１３に記憶されるデータを端末本体２０に出力する機能を果たすこととなる。
【００４４】
一方、Ｓ２０にて入力データ（個人情報）が記憶されていないと判断される場合、Ｎに進み、Ｓ４０にて特定情報を端末本体２０に出力する。なお、この特定情報は、入力データ（個人情報）と識別できるデータであればよく、その一例としては、個人情報に使われない文字等によって構成できる。例えば、個人情報が数字の組み合わせによって構成されるものと決められている場合、数字以外の文字の組み合わせ（例えば４つのアスタリスクの組み合わせ）を出力するようにすることができる。
【００４５】
ここで、図６を参照し、端末本体２０の処理について説明する。端末本体２０の情報入力処理では、まずＳ２００にてキーボード１０からのデータ送信があるか否かを判断する。データ送信があるまではＳ２００にてＮに進み、待機状態となる。一方、図５のＳ３０又はＳ４０の処理により、キーボード１０から端末本体２０に入力データ（個人情報）又は特定情報が送信された場合、Ｓ２００にてＹに進み、Ｓ２１０にてそのデータの受信処理を行う。キーボード１０からのデータ送信が完了するまではＳ２２０にてＮに進み、受信処理を続ける。一方、キーボード１０からのデータ送信が完了した場合にはＳ２２０にてＹに進む。
【００４６】
図５に戻り、キーボード１０側では、Ｓ３０における入力データ転送又はＳ４０における特定情報出力が完了すると、Ｓ５０に進んで駆動電源を本体電源（電源回路２１）に切り替える。具体的には、制御部１４から切替回路３４に対して本体電源（電源回路２１）に切り替える切替制御信号を出力することとなる。
【００４７】
次いで、Ｓ６０にて放電処理を行う。具体的には、制御部１４から放電回路３１に対しオン信号（定電流回路を作動させる信号）が出力され、蓄電手段３３を電源とする形態で放電回路３１内で通電がなされる。なお、放電開始から一定時間経過するまでは、Ｓ７０でＮの判断がなされるため、放電処理が続くこととなる。この「一定時間」は、蓄電手段３３の蓄電量が減少し、ＲＡＭ１３内のデータを揮発するのに十分な時間としてあらかじめ定められており、この「一定時間」の間は、制御部１４から放電回路３１に対してオン信号が出力され続ける。このような処理により、ＲＡＭ１３から端末本体２０へのデータの出力が完了した場合に、ＲＡＭ１３に記憶されるデータが消去されることとなる。なお、制御部１４及び放電回路３１が「消去手段」「放電手段」の一例に相当している。
【００４８】
キーボード１０側では、Ｓ６０の放電処理の開始から「一定時間」経過した後（Ｓ７０でＹ）、充電処理を開始する（Ｓ８０）。つまり、放電手段による蓄電手段３３の放電が、ＲＡＭ１３を揮発させる時間以上経過した後に、蓄電手段３３への電力供給が開始されるようになっており、制御部１４及び充電回路３２が「充電手段」の一例に相当している。なお、Ｓ８０の充電処理は、蓄電手段３３が満充電となるまで続けられ、蓄電手段３３が満充電となったときはＳ９０にてＹに進み、当該処理を終了する。
【００４９】
このように構成されるキーボード１０は、取り外し使用時に蓄電手段３３を電源として作動するようになっている。従って、取り外し時には、端末本体２０から離れた位置であってもキーパッド１２を用いて情報入力することができる。また、本実施形態に係るキーパッド１０は、キーパッド１２による入力の際に、その入力の受付がブザー１８によって報知されることとなる。このブザー１８は、発音手段の一例に相当する。
【００５０】
キーパッド１０によって入力された入力データは、ＲＡＭ１３に記憶されることとなる。本実施形態では、キーパッド１２によって入力されたデータを暗号化する暗号化手段が設けられており、この暗号化手段によって暗号化されたデータがＲＡＭ１３に記憶されるようになっている。なお、本実施形態では、図示しないＲＯＭ等に記憶される暗号化プログラム及び制御部１４によって当該暗号化手段が実現されているが、入力データを、暗号化できる構成であればこれに限定されない。また、入力データを暗号化するプログラムは、例えばＤＥＳ（Data Encryption Standard）暗号方式、ＲＳＡ暗号方式などに従ってデータを暗号化する公知のプログラムを用いることができる。
【００５１】
さらに、以下の機能を付加してもよい。例えば、蓄電手段３３の放電回数を記憶するＥＥＰＲＯＭなどの不揮発性記憶手段を設け、この不揮発性記憶手段に蓄電手段３３の放電回数を記憶し、蓄電手段３３の放電回数が所定回数に達した場合に報知手段によって報知を行う構成とすることができる。このような放電回数のカウント及び報知は、例えば、図５のＳ７０とＳ８０の処理に間にカウント処理、報知判定処理、報知処理を設けることで実現できる。具体的には、放電処理が完了するごとに放電回数をカウントして不揮発性記憶手段に記憶し（カウント処理）、その後放電回数が所定回数に達したか否かを判定する（報知判定処理）。そして、所定回数に達していなければＳ８０の充電処理を行い、所定回数に達していれば報知処理を実行した後にＳ８０の充電処理を行うようにすればよい。また、報知処理は、表示部１５によって所定の報知情報を報知するように実現してもよく、ブザー１８によって所定の発音をするように実現してもよい。この場合、表示部１５やブザー１８が報知手段の一例に相当する。
【００５２】
また、蓄電手段３３の蓄電状態を監視する監視手段を設けると共に、蓄電手段３３の蓄電状態について、キーボード１０を取り外して使用するための取り外し使用可能状態を定めておくようにしてもよい。そして、蓄電手段３３の蓄電状態が取り外し使用可能状態に至ったかを監視手段によって検出し、キーボード１０が取り外して使用可能な状態となった旨を通知手段によって通知するようにしてもよい。
【００５３】
例えば、蓄電手段３３の電圧レベルを検出する電圧検出手段（蓄電手段３３の端子電圧を検出する電圧センサ等）を設け、蓄電手段３３の電圧レベルが取り外し使用可能なレベルに至ったかを検出し、検出された電圧レベルが取り外し可能なレベルとなった場合に表示部１５やブザー１８などで通知を行うようにすることができる。この場合、電圧検出手段が監視手段の一例に相当する。また、制御部１４と、表示部１５又はブザー１８とが蓄電状態を通知する通知手段の一例に相当する。
【００５４】
例えば、蓄電手段３３の充電時間を検出する時間検出手段（例えば、Ｓ８０の処理時間を検出するタイマ等）を設け、蓄電手段３３を充電する充電時間が取り外し使用可能な時間に至ったかを検出し、充電時間が取り外し可能な時間に達した場合に表示部１５やブザー１８などで通知を行うようにすることができる。この場合、時間検出手段が監視手段の一例に相当する。また、制御部１４と表示部１５又はブザー１８とが通知手段の一例に相当する。
【００５５】
本実施形態の構成によれば、端末本体２０の電力供給手段からの電力供給を受けて蓄電する蓄電手段３３と、蓄電手段３３からの電力により記憶が維持される揮発性のＲＡＭ１３とが設けられており、端末本体２０からキーボード１０を取り外して利用できるようになっているため、ユーザにとって利便性が高い構成となる。また、キーボード１０が端末本体２０から取り外された場合に蓄電手段３３の蓄電量が減少することでＲＡＭ１３内のデータが揮発して確実に消去される構成となっている。従って、キーボード１０が取り外され続けたとしても、所定時間後に確実にデータを消去でき、外部からのＲＡＭ１３のデータ取得防止に貢献し、セキュリティ性に優れた携帯型情報処理端末となる。
【００５６】
また、ＲＡＭ１３から端末本体２０へのデータ出力が完了した場合に、ＲＡＭ１３に記憶されるデータを積極的に消去できることとなる。従って、データ出力完了後にデータがキーボード１０に残存しなくなり、セキュリティ性が一層強化される。
【００５７】
また、蓄電手段３３を放電させる放電手段によって消去手段が構成されており、複雑な構成を用いることなく確実にデータを消去できることとなる。
【００５８】
さらに、放電手段による蓄電手段３３の放電が、ＲＡＭ１３のデータが揮発して消去される時間以上経過した後に、蓄電手段３３への電力供給を開始する充電手段が設けられているため、確実にデータを消去しつつ、次回のキーボード１０使用の準備を効率的に行うことができる。
【００５９】
また、暗号化手段によって暗号化されたデータがＲＡＭ１３に記憶されるため、ＲＡＭ１３内のデータが揮発して消去される前であってもセキュリティ性が効果的に担保される。
【００６０】
また、キーボード１０に表示部１５が設けられているため、ユーザに対する情報伝達を好適に行うことができる。
【００６１】
また、蓄電手段３３の放電回数を記憶する不揮発性記憶手段と、蓄電手段３３の放電回数が所定回数に達した場合に報知を行う報知手段とが設けられているため、蓄電回数が一定の基準に達したことをユーザに知らせることができる。従って、ユーザは放電回数の状態を把握して適切な対応をとることができる。
【００６２】
また、蓄電手段３３の蓄電状態を監視する監視手段と、その蓄電状態を通知する通知手段とが設けられているため、ユーザが蓄電状態を把握しながらキーボード１０を使用できることとなる。
【００６３】
また、蓄電手段３３の蓄電状態について、キーボード１０を取り外して使用するための取り外し使用可能状態が定められており、キーボード１０が取り外して使用可能な状態となった旨を通知するようにしている。従って、取り外し使用不能な状態でユーザが使用してしまうといった問題が解決され、ユーザにとって極めて使い勝手の良い構成となる。
【００６４】
また、操作手段によって入力された際にその入力の受付を報知する発音手段が設けられているため、入力受け付けがなされたか否かをユーザが的確に把握できるようになる。
【００６５】
［第２実施形態]
次に第２実施形態について説明する。図７は、第２実施形態の携帯型情報処理端末に用いるキーボード１１０の電気的構成を示すブロック図である。図８は、第２実施形態における端末本体の情報入力処理を例示するフローチャートである。
本実施形態では、第１実施形態のキーボード１０に代えて、充電回路３２に供給される電力と切替回路に供給される電力とが別系統となるようにキーボード１１０の電源部１１１を構成した点、端末本体２０の情報入力処理を図６とは異なる処理とした点、が第１実施形態と異なり、それ以外の構成は第１実施形態と同様である。よって同様の部分については同一の符号を付し、詳細な説明は省略することとする。
【００６６】
本実施形態では、キーボード１１０と端末本体２０（図１と同様の構成）との接続時において、切替回路３４に接続される端子Ｔ１に、第１実施形態と同様の電源回路２１（図１参照）が接続されるようになっており、充電回路３２に接続される端子Ｔ５には、電源回路２１又は別の電源回路が接続されるようになっている。端子Ｔ５のラインは、処理回路２２によって電力供給のオンオフが可能とされている。
【００６７】
本実施形態では、キーボード１１０における情報出力処理は図５と同様の処理がなされる。一方、端末本体２０における情報入力処理は、図８のような流れとなっている。図８のＳ３００〜Ｓ３２０は、図６のＳ２００〜Ｓ２２０と同一の処理であり、当該処理では、Ｓ３２０にてデータ受付完了の判断がなされると（Ｓ３２０でＹ）、Ｓ３３０にて一定時間（蓄電手段３３の蓄電量が減少し、ＲＡＭ１３のデータが揮発するのに十分な時間）カウントする処理がなされる。端末本体２０は、このカウント処理の間、端子Ｔ５からの電力供給を遮断する制御を行う。一方のキーボード１１０では、その一定時間の間、Ｓ６０の放電処理がなされる（図５参照）。
【００６８】
Ｓ３３０の一定時間が経過すると、端子Ｔ５系統の電力供給の遮断を解除し、端子Ｔ５を介して充電電力を供給するように制御がなされる（Ｓ３４０）。キーボード１１０側では、満充電となるまでＳ８０の充電処理がなされる。そして、蓄電手段３３が満充電となった場合には、キーボード１１０において充電処理が終了し（図５参照）、一方の端末本体２０でも充電電力供給処理が終了する（図８）。
【００６９】
［第３実施形態]
次に第３実施形態について説明する。図９は、第３実施形態の携帯型情報処理端末に用いるキーボード２１０の電気的構成を例示するブロック図である。
本実施形態ではキーボード２１０の電源部２１１において蓄電手段３３以外の別の電源（第二電源２３３）が設けられている点、及び切替回路２３４の構成が第１実施形態と異なり、他の構成は第１実施形態と同様である。よって同様の部分については同一の符号を付し、詳細な説明は省略するものとする。
【００７０】
本実施形態の構成では、ＲＡＭ１３が蓄電手段３３のみから電力供給を受け、第二電源２３３から電力供給を受けないようになっており、蓄電手段３３の充電量が低下すれば、第二電源２３３の状態にかかわらずＲＡＭ１３のデータが揮発することとなる。また、ＲＡＭ１３に電力供給する蓄電手段３３とは別に第二電源２３３が設けられているため、蓄電手段３３の充電量低下時に、端末本体２０からの電力供給を受けなくても各種制御（放電制御や蓄電手段３３の蓄電状態の監視制御等）を行うことができる。
【００７１】
本実施形態に用いるキーボード２１０でも図５と同様の流れで情報出力処理を行うことができ、端末本体２０（図１と同様の構成）も図６のような流れで情報入力処理を行う。なお、本実施形態に用いるキーボード２１０では、蓄電手段３３以外に第二電源２３３が設けられているため、図５に示すＳ５０の電源切替処理をＳ７０の処理の後に行うようにしてもよい。つまり、Ｓ１０からＳ７０までの処理を第二電源２３３からの電力供給に基づいて行うようにしてもよい。
【００７２】
［他の実施形態]
本発明は上記記述及び図面によって説明した実施形態に限定されるものではなく、例えば次のような実施形態も本発明の技術的範囲に含まれる。
【００７３】
上記実施形態では、蓄電手段３３としてキャパシタを例示したが、充放電可能な電源であればこれ以外であってもよい。例えば、公知の各種二次電池などを用いてもよい。
【００７４】
上記実施形態では、端末本体からキーボードを取り外して使用すると、時間経過に伴い蓄電手段３３の蓄電電力が消費され、ＲＡＭ１３のデータが揮発するようになっているが、端末本体からキーボードが取り外されてから一定時間後に蓄電手段３３を強制的に放電するようにしてもよい。
【００７５】
上記実施形態では、キーボードにデータが記憶されていないときに特定情報を出力する構成を例示したが（図５参照）、このような特定情報を出力しない構成であってもよい。
この構成は、キーボード側については、例えば、図５のＳ４０の処理を省略することにより実現できる。端末本体側については、第１実施形態又は第３実施形態の構成であれば図６の処理を行えばよい。また、第２実施形態の構成の場合、キーボードが端末本体に接続された後、データ送信がなければ図８のＳ３３０〜Ｓ３５０の処理を行うようにすればよい。
【００７６】
端末本体とキーボードのデータ通信と電源供給を行う接続部として、端子Ｔ１〜Ｔ４を用いた有線接続（コネクタ等による接続）を例示したが、電磁誘導などの無線接続でも実現可能である。
【００７７】
上記実施形態では、例えば図４に示すように、接続検出手段としての検出部１７をキーボード側に設けた構成を例示したが、接続検出手段を端末本体側に設けてもよい。例えば図４（ａ）の構成において、図４（ｂ）の回路構成に代えて図１０の回路構成を用いることができる。この例では、図１０上図のように、凸状端子４１と凹状端子４２が接続されていないときには検出ライン４４がＬレベルとなり、図１０下図のように端子４１と４２が接続されているときに検出ラインがＨレベルとなる。この検出ライン４４のレベルをＣＰＵなどからなる処理回路２２（図１）で判定すれば、キーボード１０と端末本体２０の接続を検出できることとなる。なお、この場合、検出結果は端末本体２０側で利用するようにしてもよく、検出結果を、端末本体２０からキーボード１０側に出力し、キーボード１０側で利用するようにしてもよい（例えば図５のＳ１０の処理に利用）。
【００７８】
また、図４の構成に代えて、図１１のような物理的な検出構造を設けるようにしてもよい。図１１では端末本体２０に機械式リレーなどからなるスイッチ５１が設けられており、キーボード１０が正規の位置に装着されると、図１１下図のようにスイッチ５１が押圧され、当該スイッチ５１から処理回路２２（図１）に検出信号が出力されるようになっている。この場合も、検出結果を端末本体２０側で利用するようにしてもよく、検出結果をキーボード１０側に出力し、キーボード１０側で利用するようにしてもよい。
また、図１１の構成とは逆に、スイッチ５１をキーボード１０側に設け、キーボード１０が正規位置に装着されたときにこのスイッチ５１が押圧され、スイッチ５１から制御部１４に検出信号が出力されるようにしてもよい。
【００７９】
また、物理的検出構造としては、図１２のような構成であってもよい。図１２では、キーボード１０に突起部５３が設けられ、端末本体２０に接続検出手段としてのフォトインタラプタ５５が設けられている。図１２上図のように、キーボード１０の非装着時にはフォトインタラプタ５５において発光部からの発光が受光部で検出され、図１２下図のようにキーボード１０が正規位置に装着されたときには突起部５３によってフォトインタラプタ５５の発光部と受光部の間が遮断され、検出信号（即ち発光非検出信号）が処理回路２２に出力されるようになっている。この場合も、検出結果を端末本体２０側で利用するようにしてもよく、検出結果を端末本体２０からキーボード１０側に出力し、キーボード１０側で利用するようにしてもよい。
また、図１２の構成とは逆に、フォトインタラプタ５５をキーボード１０側に設けると共に、突起部５３を端末本体２０に設け、キーボード１０が正規位置に装着されたときにこのキーボード１０側のフォトインタラプタ５５において発光部と受光部の間が遮断され、検出信号が制御部１４に出力されるようになっていてもよい。
【００８０】
また、図４の構成に代えて、図１３のような光学的検出構造を用いてもよい。図１３の構成では、照度センサ５７が端末本体２０に設けられており、図１３上図のようにキーボード１０の非装着時には照度センサ５７にて検出される照度が所定閾値を超え、図１３下図のようにキーボード１０が正規位置に装着されたときには照度センサ５７にて検出される照度が所定閾値以下となるようになっている。照度センサ５７にて検出された照度は処理回路２２（図１）に入力され、処理回路２２にて所定閾値を超えるか否かが判断される。
また、図１３の構成とは逆に、キーボード１０側に照度センサ５７を設け、照度センサ５７にて検出された照度を制御部１４にて取り込むようにしてもよい。この場合、検出照度に基づいてキーボード１０側で、当該キーボード１０の装着／非装着を判断できることとなる。
【００８１】
また、図４の構成に代えて、図１４のような磁気的検出構造を用いてもよい。図１４の例では、キーボード１０側に磁石５８を設け、端末本体２０側に磁気センサ５９を設けている。図１４上図のようにキーボード１０の非装着時には磁気センサ５９が非検出状態となり、図１４下図のようなキーボード１０の装着時には磁気センサ５９から処理回路２２に検出信号が出力されるようになっている。
また、図１４の構成とは逆に、キーボード１０側に磁気センサ５９を設け、端末本体２０側に磁石５８を設けるようにしてもよい。この場合、キーボード１０の装着時に磁気センサ５９から検出信号が出力され、制御部１４に入力されることとなる。
【図面の簡単な説明】
【００８２】
【図１】図１は、第１実施形態に係る携帯型情報処理端末を概略的に例示するブロック図である。
【図２】図２は、図１の携帯型情報処理端末におけるキーボードの具体的ブロック図である。
【図３】図３は、放電回路及び充電回路を概略的に説明する説明図である。
【図４】図４は、検出部の一例について説明する説明図である。
【図５】図５は、キーボードにおける情報出力処理を例示するフローチャートである。
【図６】図６は、端末本体における情報入力処理を例示するフローチャートである。
【図７】図７は、第２実施形態の携帯型情報処理端末に用いるキーボードを例示するブロック図である。
【図８】図８は、第２実施形態における端末本体側の情報入力処理を例示するフローチャートである。
【図９】図９は、第３実施形態の携帯型情報処理端末に用いるキーボードを例示するブロック図である。
【図１０】図１０は、接続検出手段に関し、図４（ｂ）の別例を示す回路図である。
【図１１】図１１は、接続検出手段に関し、図４の別例２を示す説明図である。
【図１２】図１２は、接続検出手段に関し、図４の別例３を示す説明図である。
【図１３】図１３は、接続検出手段に関し、図４の別例４を示す説明図である。
【図１４】図１４は、接続検出手段に関し、図４の別例５を示す説明図である。
【符号の説明】
【００８３】
１…携帯型情報処理端末
１０，１１０，２１０…キーボード
１１，１１１，２１１…電源部
１２…キーパッド（操作手段）
１３…ＲＡＭ（記憶手段）
１４…制御部（出力手段、消去手段、放電手段、充電手段、暗号化手段）
１５…表示部（表示手段）
１７…検出部（接続検出手段）
１８…ブザー（発音手段）
２０…端末本体
２１…電源回路（電力供給手段）
３１…放電回路（消去手段、放電手段）
３２…充電回路（充電手段）
３３…蓄電手段
【図１】
2008242825.tif 000003
【図２】
2008242825.tif 000004
【図３】
2008242825.tif 000005
【図４】
2008242825.tif 000006
【図５】
2008242825.tif 000007
【図６】
2008242825.tif 000008
【図７】
2008242825.tif 000009
【図８】
2008242825.tif 000010
【図９】
2008242825.tif 000011
【図１０】
2008242825.tif 000012
【図１１】
2008242825.tif 000013
【図１２】
2008242825.tif 000014
【図１３】
2008242825.tif 000015
【図１４】
2008242825.tif 000016